(57)【要約】【課題】凹部に沿って第一部材及び第二部材の外側側面に跨って貼着されたラベルを容易に切断でき、開封作業を効率的に行うことが可能となる実用的な収納ケースの提供。【解決手段】第一部材１と該第一部材１と連結される第二部材２とから成る収納ケースであって、前記第一部材１の縁及び前記第二部材２の縁のいずれか一方には当該部材の外側側面20，21から内方に減寸する減寸部15，16を設け、前記第一部材１と前記第二部材２とを連結した際の境界部５には前記減寸部15，16により凹部６を形成し、収納物の情報が表示されたラベル４を前記第一部材１及び前記第二部材２に前記凹部６を跨いで設ける。【選択図】図１
2018058134.tif 000002
【特許請求の範囲】
【請求項１】
第一部材と該第一部材と連結される第二部材とから成る収納ケースであって、前記第一部材の縁及び前記第二部材の縁のいずれか一方には当該部材の外側側面から内方に減寸する減寸部が設けられ、前記第一部材と前記第二部材とを連結した際の境界部には前記減寸部により凹部が形成され、収納物の情報が表示されたラベルが前記第一部材及び前記第二部材に前記凹部を跨いで設けられていることを特徴とする収納ケース。
【請求項２】
請求項１記載の収納ケースにおいて、前記凹部は、前記第一部材及び前記第二部材の前記ラベルが設けられる面における前記第一部材と前記第二部材とを連結した際の境界部の長手方向全域にわたって設けられていることを特徴とする収納ケース。
【請求項３】
請求項１記載の収納ケースにおいて、前記凹部は、前記第一部材と前記第二部材とを連結した際の境界部の一部を囲繞するように設けられていることを特徴とする収納ケース。
【請求項４】
請求項１記載の収納ケースにおいて、前記凹部は、前記第一部材と前記第二部材とを連結した際の境界部の全周を囲繞するように設けられていることを特徴とする収納ケース。
【請求項５】
請求項１〜４いずれか１項に記載の収納ケースにおいて、前記凹部は、前記第一部材と前記第二部材とを連結した際の境界部の長手方向と直交する方向における幅が０．０５ｍｍ以上２ｍｍ以下であることを特徴とする収納ケース。
【請求項６】
請求項１〜５いずれか１項に記載の収納ケースにおいて、前記凹部の深さは０．０５ｍｍ以上２ｍｍ以下であることを特徴とする収納ケース。
【請求項７】
請求項１〜６いずれか１項に記載の収納ケースにおいて、前記減寸部は前記第一部材及び前記第二部材の双方に設けられていることを特徴とする収納ケース。
【請求項８】
請求項１〜７いずれか１項に記載の収納ケースにおいて、前記減寸部は面取り部であることを特徴とする収納ケース。
【請求項９】
請求項１〜８いずれか１項に記載の収納ケースにおいて、前記第一部材には切削工具のシャンク部を保持するシャンク保持部が設けられ、前記切削工具の前記シャンク保持部から突出する部分が前記第二部材に納まるように構成された切削工具収納用のものであることを特徴とする収納ケース。
【請求項１０】
請求項９記載の収納ケースにおいて、前記ラベルが、前記第一部材及び前記第二部材の表面から、この表面と隣接し前記シャンク保持部の底面側に位置する前記第一部材の底端面に至るように設けられていることを特徴とする収納ケース。
【請求項１１】
請求項１０記載の収納ケースにおいて、前記ラベルの前記表面に設けられる表面部及び前記底端面に設けられる底端面部には、夫々、収納される切削工具の情報が表示されていることを特徴とする収納ケース。
【請求項１２】
請求項９記載の収納ケースにおいて、前記ラベルが、前記第一部材及び前記第二部材の表面から、この表面と隣接し前記シャンク保持部の底面側に位置する前記第一部材の底端面及びこの底端面に隣接し前記表面の裏側に位置する前記第一部材の裏面に至るように設けられていることを特徴とする収納ケース。
【請求項１３】
請求項１２記載の収納ケースにおいて、前記ラベルの前記表面に設けられる表面部、前記底端面に設けられる底端面部及び前記裏面に設けられる裏面部には、夫々、収納される切削工具の情報が表示されていることを特徴とする収納ケース。
【発明の詳細な説明】
【技術分野】
【０００１】
本発明は、収納ケースに関するものである。
【背景技術】
【０００２】
ドリルやエンドミル等の切削工具を収納する収納ケースとしては、例えば特許文献１に開示されるように、切削工具のシャンク部を保持するシャンク保持部が設けられた第一部材（キャップ）と、前記シャンク保持部から突出する部分に被嵌して該突出する部分を保護する第二部材（カバー）とから成る構成のものが用いられている。
【０００３】
ところで、切削工具収納ケースには、収納した切削工具の情報（名称等）が表示されたラベルが貼着されている。このラベルは、未開封か否かを示す封止シールとしての役割も有するため、通常、前記キャップと前記カバーとの境界部に跨って貼着されている。
【０００４】
従って、収納ケースを開封して切削工具を取り出すには、ラベルを剥がすかカッター等でラベルを切断する必要がある。ラベルを手で剥がすのは手間がかかり、また、一般に一度剥がしたラベルは粘着力が低下して再度貼着することが困難であり、一度使用した切削工具を再度利用するために一旦元の収納ケースに戻して切削工具の種類等をラベルにより容易に識別できるように保管することが厄介になる。このため、通常はキャップとカバーとの境界部でカッター等でラベルを切断している。
【０００５】
しかしながら、キャップとカバーとの境界部は通常、それらの外周面同士（外側側面同士）に段差のない面一形状とされており、また、キャップとカバーとの間に隙間もない。即ち、キャップの縁とカバーの縁とはピッタリ合致してそれらの外周面（外側側面）が面一状態である。
【０００６】
従って、キャップとカバーとの合わせ目に沿ってカッター等でラベルを切断しようとしても、カッター等の刃をガイドするものがないことから、合わせ目に対して刃が斜行し易く、刃がキャップとカバーとの合わせ目から外れてラベルを切断する場合が往々にして生じる。特に、多数の収納ケースを整列させ、まとめてキャップとカバーとの合わせ目にカッター等を走らせ、ラベルを切断しようとする際に前記斜行が生じ易い。
【０００７】
この場合、キャップとカバーとの合わせ目で真っ直ぐにラベルが切断されず、一部が前記境界部に跨った状態で切断されてしまい、キャップを、ラベルの前記境界部に跨った部分を引き剥がしながらカバーから分離させなければならず、厄介である。
【先行技術文献】
【特許文献】
【０００８】
【特許文献１】特開２００６−３４６７９６号公報
【発明の概要】
【発明が解決しようとする課題】
【０００９】
本発明は、上述のような現状に鑑みなされたもので、第一部材の縁及び第二部材の縁の少なくともいずれか一方に減寸部を設け、第一部材と第二部材とを連結した際の境界部に前記減寸部により凹部を形成することで、この凹部に沿って第一部材及び第二部材の外側側面に跨って貼着されたラベルを容易に切断でき、それだけ開封作業を効率的に行うことが可能となる実用的な収納ケースを提供するものである。
【課題を解決するための手段】
【００１０】
添付図面を参照して本発明の要旨を説明する。
【００１１】
第一部材１と該第一部材１と連結される第二部材２とから成る収納ケースであって、前記第一部材１の縁及び前記第二部材２の縁のいずれか一方には当該部材の外側側面20，21から内方に減寸する減寸部15，16が設けられ、前記第一部材１と前記第二部材２とを連結した際の境界部５には前記減寸部15，16により凹部６が形成され、収納物の情報が表示されたラベル４が前記第一部材１及び前記第二部材２に前記凹部６を跨いで設けられていることを特徴とする収納ケースに係るものである。
【００１２】
また、請求項１記載の収納ケースにおいて、前記凹部６は、前記第一部材１及び前記第二部材２の前記ラベル４が設けられる面における前記第一部材１と前記第二部材２とを連結した際の境界部５の長手方向全域にわたって設けられていることを特徴とする収納ケースに係るものである。
【００１３】
また、請求項１記載の収納ケースにおいて、前記凹部６は、前記第一部材１と前記第二部材２とを連結した際の境界部５の一部を囲繞するように設けられていることを特徴とする収納ケースに係るものである。
【００１４】
また、請求項１記載の収納ケースにおいて、前記凹部６は、前記第一部材１と前記第二部材２とを連結した際の境界部５の全周を囲繞するように設けられていることを特徴とする収納ケースに係るものである。
【００１５】
また、請求項１〜４いずれか１項に記載の収納ケースにおいて、前記凹部６は、前記第一部材１と前記第二部材２とを連結した際の境界部５の長手方向と直交する方向における幅ｗが０．０５ｍｍ以上２ｍｍ以下であることを特徴とする収納ケースに係るものである。
【００１６】
また、請求項１〜５いずれか１項に記載の収納ケースにおいて、前記凹部６の深さｄは０．０５ｍｍ以上２ｍｍ以下であることを特徴とする収納ケースに係るものである。
【００１７】
また、請求項１〜６いずれか１項に記載の収納ケースにおいて、前記減寸部15，16は前記第一部材１及び前記第二部材２の双方に設けられていることを特徴とする収納ケースに係るものである。
【００１８】
また、請求項１〜７いずれか１項に記載の収納ケースにおいて、前記減寸部15，16は面取り部であることを特徴とする収納ケースに係るものである。
【００１９】
また、請求項１〜８いずれか１項に記載の収納ケースにおいて、前記第一部材１には切削工具７のシャンク部８を保持するシャンク保持部９が設けられ、前記切削工具７の前記シャンク保持部９から突出する部分が前記第二部材２に納まるように構成された切削工具収納用のものであることを特徴とする収納ケースに係るものである。
【００２０】
また、請求項９記載の収納ケースにおいて、前記ラベル４が、前記第一部材１及び前記第二部材２の表面から、この表面と隣接し前記シャンク保持部９の底面側に位置する前記第一部材１の底端面に至るように設けられていることを特徴とする収納ケースに係るものである。
【００２１】
また、請求項１０記載の収納ケースにおいて、前記ラベル４の前記表面に設けられる表面部10及び前記底端面に設けられる底端面部11には、夫々、収納される切削工具７の情報が表示されていることを特徴とする収納ケースに係るものである。
【００２２】
また、請求項９記載の収納ケースにおいて、前記ラベル４が、前記第一部材１及び前記第二部材２の表面から、この表面と隣接し前記シャンク保持部９の底面側に位置する前記第一部材１の底端面及びこの底端面に隣接し前記表面の裏側に位置する前記第一部材１の裏面に至るように設けられていることを特徴とする収納ケースに係るものである。
【００２３】
また、請求項１２記載の収納ケースにおいて、前記ラベル４の前記表面に設けられる表面部10、前記底端面に設けられる底端面部11及び前記裏面に設けられる裏面部12には、夫々、収納される切削工具７の情報が表示されていることを特徴とする収納ケースに係るものである。
【発明の効果】
【００２４】
本発明は上述のように構成したから、凹部に沿って第一部材及び第二部材の外側側面に跨って貼着されたラベルを容易に切断でき、それだけ開封作業を効率的に行うことが可能となる実用的な収納ケースとなる。
【図面の簡単な説明】
【００２５】
【図１】本実施例の概略説明斜視図である。
【図２】本実施例の分解説明斜視図である。
【図３】本実施例のラベル切断時の概略説明斜視図である。
【図４】図３の要部の拡大概略説明側面図である。
【図５】別例１の概略説明側面図である。
【発明を実施するための形態】
【００２６】
好適と考える本発明の実施形態を、図面に基づいて本発明の作用を示して簡単に説明する。
【００２７】
第一部材１と第二部材２とを連結すると、その境界部５に第一部材１と第二部材２の縁に設けられた減寸部15，16により凹部６が形成される。
【００２８】
従って、収納ケースを開封するためにラベル４をカッター等で切断する際、カッター等の刃の先端を凹部６に入れれば、カッター等の刃がこの凹部６にガイドされ、ラベル４は、第一部材１と第二部材２との境界部５で確実に切断される。
【実施例】
【００２９】
本発明の具体的な実施例について図面に基づいて説明する。
【００３０】
本実施例は、第一部材１と該第一部材１と連結される第二部材２とから成る収納ケースであって、前記第一部材１の縁及び前記第二部材２の縁のいずれか一方には当該部材の外側側面20，21から内方に減寸する減寸部15，16が設けられ、前記第一部材１と前記第二部材２とを連結した際の境界部５には前記減寸部15，16により凹部６が形成され、収納物の情報が表示されたラベル４が前記第一部材１及び前記第二部材２に前記凹部６を跨いで設けられているものである。
【００３１】
具体的には、図１，２に図示したように、第一部材１（キャップ）にはエンドミルやドリル等の切削工具７のシャンク部８を保持するシャンク保持部９が設けられ、切削工具７の前記シャンク保持部９から突出する刃部等が第二部材２（カバー）に納まるように構成された切削工具収納用のものである。
【００３２】
カバーは、断面視矩形状で一端が開口した筒状体であり、半透明の合成樹脂製である。また、本実施例のシャンク保持部９は、一対の挟持片部でシャンク部８を挟持状態で保持する構成としている。この挟持片部はカバー内面に嵌合する形状であり、シャンク部８を一対の挟持片部の間に挿入すると、この挟持片部は僅かに外方に撓んだ状態となるように構成されている。また、この状態で挟持片部をカバー内に挿入することで、挟持片部の外面がカバー内面に若干押し付けられるように挟持片部及びカバーが構成されている。従って、一対の挟持片部をカバー内に挿入し、カバーとキャップの対向端部同士が当接するまで押し込むことで、カバー内面により一対の挟持片部が内方に押し付けられてシャンク部８を一層強く挟持し切削工具７を安定的に収納することができる。
【００３３】
また、ラベル４は、第一部材１及び第二部材２の外側側面20，21にして表面に凹部６を跨いで設けられ、この表面から、この表面と隣接し前記シャンク保持部９の底面側に位置する第一部材１の底端面及びこの底端面に隣接し前記表面の裏側に位置する第一部材１の裏面に至るように設けられている。なお、本実施例においては第一部材１及び第二部材２に凹部６を跨いでラベル４が設けられる前記第一部材１及び前記第二部材２の外側側面20，21を「表面」と表現し、その反対側（裏側）の外側側面20，21を「裏面」と表現している。本実施例においては、ラベル４は第一部材１及び第二部材２に貼着されて設けられている。
【００３４】
そして、ラベル４の第一部材１及び第二部材２の表面に貼着される表面部10、第一部材１の底端面に貼着される底端面部11及び第一部材１の裏面に貼着される裏面部12には、夫々、収納される切削工具７の情報が表示されている。切削工具７の情報としては、名称、型番、寸法、製造番号等がある。また、携帯端末等で読み取ることで前記各情報にアクセスできるバーコードやＱＲコード（登録商標）を表示しても良い。ラベル４の表面部10、底端面部11及び裏面部12には、同じ情報を表示しても良いし、夫々異なる情報を表示しても良い。なお、ラベル４は前記表面部10及び底端面部11のみを有する構成としても良い。
【００３５】
また、本実施例のラベル４の裏面部12は、第一部材１のみに設けられている（ラベル４が第二部材２の裏面まで設けられていない。）。従って、ラベル４を切断するのは表面部10だけで良い。例えば、ラベル４の面積の小さい裏面部12にはＱＲコードを表示し、面積の大きい表面部10にはバーコードと各種情報を表示する。
【００３６】
また、本実施例においては、ラベル４は前述したように、凹部６を跨いで、第一部材１及び第二部材２の表面、第一部材１の底端面及び第一部材１の裏面の全てに貼着されて設けられているが、必ずしもそれら全ての面に貼着されていなくても良く、第一部材１と第二部材２の夫々一部の面に貼着されて設けられる構成としても良い。
【００３７】
例えば、ラベル４が第二部材２の表面に貼着され、凹部６を跨いで第一部材１の表面に貼着され、第一部材１の底端面には貼着されずに、第一部材１の裏面に貼着されて設けられる構成としても良い。この場合、ラベル４の第一部材１の底端面との対向面は、この第一部材の底端面に固定されないが、その前後（ラベル４の第二部材２の表面との対向面、第一部材１の表面との対向面及び第一部材１の裏面との対向面）が固定されることで、第一部材１の底端面を覆うように該底端面に沿って設けられる。
【００３８】
また、ラベル４が第一部材１の裏面に設けられない構成においては、ラベル４が第二部材２の表面に貼着され、凹部６を跨いで第一部材１の表面には貼着されずに、第一部材１の底端面に貼着されて設けられる構成としても良い。この場合も、ラベル４の第一部材１の表面との対向面は、この第一部材１の表面に固定されないが、その前後（ラベル４の第二部材２の表面との対向面及び第一部材１の底端面との対向面）が固定されることで、第一部材１の表面を覆うように該表面に沿って設けられる。
【００３９】
凹部６は、少なくとも、第一部材１及び第二部材２の外側側面20，21にしてラベル４が貼着される面における前記第一部材１と前記第二部材２とを連結した際の境界部５の長手方向全域にわたって設けられていれば良い。即ち、本実施例においては、少なくとも、第一部材１及び第二部材２の表面における合わせ目に沿って、その合わせ目の全域に設けられていれば良い。
【００４０】
本実施例においては、凹部６は、第一部材１と第二部材２とを連結した際の境界部５の全周を囲繞するように設けられている。具体的には、第一部材１及び第二部材２の合わせ目に沿って全周に設けられている。
【００４１】
なお、凹部６を、前記境界部５の全周ではなく、一部を囲繞するように設けても良い。
【００４２】
凹部６は、境界部５の長手方向と直交する方向における幅ｗが０．０５ｍｍ以上２ｍｍ以下に設定されている。０．０５ｍｍ未満であるとカッター等の刃が入り難く、また、２ｍｍを超えると刃のガイド作用が発揮され難く、凹部６内で刃が蛇行し易くなる。
【００４３】
また、凹部６の（最大）深さｄは０．０５ｍｍ以上２ｍｍ以下に設定されている。０．０５ｍｍ未満であるとカッター等の刃のガイド作用が発揮され難く、また、２ｍｍ以下で十分なガイド作用が発揮される。なお、２ｍｍを超えるとその分収納ケースの剛性が低下し、更にその剛性不足を補うために収納ケースを肉厚にして大型化する必要が生じてしまうため、２ｍｍ以下に設定することが好ましい。
【００４４】
また、本実施例においては、凹部６は第一部材１の縁及び第二部材２の縁に夫々設けられている減寸部15，16により形成されている。具体的には、第一部材１及び第二部材２の対向端部外周縁の全周に前記減寸部15，16として面取りを施した面取り部を設けた構成としている。即ち、第一部材１及び第二部材２の対向端部外周縁の全周に前記減寸部15，16として傾斜面13，14（面取り部）を夫々設けている。減寸部15，16の外形寸法（若しくは減寸部15，16を一部に含む外形寸法）は、減寸部15，16を含まない外側側面20，21の外形寸法より小さくなる。
【００４５】
従って、第一部材１及び第二部材２の対向端部17，18を突き合せて第一部材１で第二部材２の開口部３を閉塞した状態では、各傾斜面13，14により断面視Ｖ字状の凹部６が形成され、この凹部６が第一部材１及び第二部材２の合わせ目に沿って全周に形成されるように構成している。
【００４６】
よって、ラベル４を切断する際、図３，４に図示したように、カッター等の刃Ａの先端は凹部６（傾斜面13，14）によってガイドされ、ラベル４を第一部材１及び第二部材２の合わせ目に沿って容易に切断することが可能となる。
【００４７】
なお、前記減寸部は傾斜面に限らず第一部材１及び第二部材２の対向端部外周縁に段差面を形成し、第一部材１及び第二部材２の対向端部17，18を突き合せて各段差面により断面視Ｕ字状の凹部６若しくは凹部６の底面に複数の角を有する断面視角Ｕ字状の凹部６が形成されるように構成しても良く、その他の断面形状を成す凹部６としても良い。
【００４８】
また、本実施例は、減寸部を第一部材１及び第二部材２の双方に設けているが、第一部材１若しくは第二部材２の一方の対向端部外周縁にのみ、減寸部として上述のような傾斜面若しくは段差面を形成することで凹部６を設けても良い。
【００４９】
図５に、断面視角Ｕ字状の凹部６が形成された別例１を示す。この別例１は具体的には、第一部材１の対向端部外周縁にのみ減寸部15として段差面を形成しており、第二部材２には減寸部を設けていない。前記第一部材１の対向端部17と前記第二部材２の対向端部18とを突き合せて断面視角Ｕ字状の凹部６を形成している。
【００５０】
また、ラベル４は凹部６内にも貼着される構成としても良いし、図４に図示したような凹部６内にはラベル４が貼着されない構成（ラベル４が凹部６内に落ち込まない構成）としても良い。ラベル４が凹部６内に落ち込まず貼着されない構成とした場合、貼着された状態のラベル４を切断するよりもラベル４を切断し易くなる。
【００５１】
本実施例は上述のように構成したから、収納ケースを開封するためにラベル４をカッター等で切断する際、カッター等の刃の先端を凹部６に入れれば、カッター等の刃がこの凹部６にガイドされ、ラベル４は、第一部材１と第二部材２との境界部５で確実に切断される。
【００５２】
よって、本実施例は、凹部に沿って第一部材及び第二部材の外側側面に跨って貼着されたラベルを容易に切断でき、それだけ開封作業を効率的に行うことが可能となる実用的なものとなる。
【符号の説明】
【００５３】
１  第一部材
２  第二部材
４  ラベル
５  境界部
６  凹部
７  切削工具
８  シャンク部
９  シャンク保持部
10  表面部
11  底端面部
12  裏面部
15  減寸部
16  減寸部
20  外側側面
21  外側側面
ｗ  幅
ｄ  深さ
【図１】
2018058134.tif 000003
【図２】
2018058134.tif 000004
【図３】
2018058134.tif 000005
【図４】
2018058134.tif 000006
【図５】
2018058134.tif 000007